(57)【特許請求の範囲】
【請求項１】
クランク軸が略水平方向に指向するとともに、上方に開放したＶ型内燃機関において、
Ｖバンク谷間に溜まった雨水等の液体を排出する排出通路が、クランク軸方向の内燃機関端面を覆うカバー内部に形成され、
前記カバーは、内燃機関内部部品を保護するとともに凹部壁および凹部側壁からなる凹部を備える第１カバーと、前記第１カバーの前記凹部を覆うとともに前記凹部側壁に密接しかつ第１カバーと略同一面をなす表板部および該表板部から前記凹部壁へ向けて延出される側壁を備える第２カバーとからなり、
前記排水通路は、前記第１カバーの凹部壁および凹部側壁と前記第２カバーの表板部と側壁とにより構成されることを特徴とする自動二輪車のＶ型内燃機関。
【請求項２】
前記クランク軸はクランクケースに支持され、
前記第１カバーは、前記クランクケースの前方に配置された前記Ｖ型内燃機関の摩擦式変速クラッチを前方から覆うとともに、前記凹部側壁は該摩擦式変速クラッチの直上部分で斜下方へ傾斜して配置され、該凹部の下部に冷却水ポンプを支持するポンプ孔が、上部にＶ字状をなすシリンダブロックに接続される冷却水吐出孔が形成され、
前記第２カバーには、前記冷却水ポンプの外壁部と、該冷却水ポンプから吐出された冷却水を前記第１カバーの冷却水吐出孔に通す冷却水通路部とが形成され、前記第２カバーの前記側壁が前記冷却水通路部と前記排出通路とを隔てていることを特徴とする請求項１記載のＶ型内燃機関。
【請求項３】
前記排出通路は、前記Ｖバンク谷間に連通する導入通路と該導入通路に連通する連絡通路とから構成され、
前記導入通路は、前記クランクケースから前方に延出するケース筒状部と前記第１カバーからケース筒状部と同一の横断形状をなして延出するカバー筒状部とを合わせることで形成され、
前記導入通路の前記Ｖバンク谷間との導入連通孔はＶバンクの底壁に接し、前記導入通路の前記排出通路との排出連通孔は前記冷却水通路部の下方に設けられることを特徴とする請求項２記載のＶ型内燃機関。
【発明の詳細な説明】
【０００１】
【発明の属する技術分野】
本出願発明は、クランク軸が略水平方向に指向したＶ型内燃機関のＶバンク谷間に溜った雨水等の液体を排出できるＶ型内燃機関に関するものである。
【０００２】
【従来の技術および解決しようとする課題】
クランク軸が略水平方向に指向したＶ型内燃機関では、実開昭６２−６９０２９号公報記載のもののように、Ｖバンク谷間に隣接して内燃機関の一端面に冷却水ポンプが配設されると、上方から降り懸る雨がＶバンクに溜り、外部へ排出されにくい。
【０００３】
特に、自動二輪車に搭載される内燃機関では、外部に露出して雨が降り懸り、その内燃機関の両端側でＶバンクに動弁装置の駆動装置や発電機が配設されると、雨水等の液体が排出されずに溜り易い不具合があった。
【０００４】
【課題を解決するための手段】
本出願発明は、このような難点を克服した自動二輪車のＶ型内燃機関の改良に係り、請求項１記載の発明は、
クランク軸が略水平方向に指向するとともに、上方に開放したＶ型内燃機関において、
Ｖバンク谷間に溜まった雨水等の液体を排出する排出通路が、クランク軸方向の内燃機関端面を覆うカバー内部に形成され、
前記カバーは、内燃機関内部部品を保護するとともに凹部壁および凹部側壁からなる凹部を備える第１カバーと、前記第１カバーの前記凹部を覆うとともに前記凹部側壁に密接しかつ第１カバーと略同一面をなす表板部および該表板部から前記凹部壁へ向けて延出される側壁を備える第２カバーとからなり、
前記排水通路は、前記第１カバーの凹部壁および凹部側壁と前記第２カバーの表板部と側壁とにより構成されることを特徴とするものである。
【０００５】
請求項１記載の発明は、前述したように構成されているので、前記Ｖ型内燃機関の上面に降り懸かった雨水等の液体が、該Ｖ型内燃機関のＶバンク谷間から内燃機関外へ排出され、該液体の腐敗や汚れが未然に阻止される。そして、前記Ｖ型内燃機関のＶバンク谷間に錆、汚れの発生が防止され、たとえ前記排出通路に錆、汚れが発生しても、外部からこれを視認することができないため、見栄えがよい。また、カバーを第１カバーと第２カバーで構成し、両カバーを略同一面をなすように組合せて、両カバーの間に前記排水通路を構成することにより、外観が向上し、前記排出通路の形成が確実になされる。
【０００６】
また、請求項２記載の発明は、請求項１記載のＶ型内燃機関において、
前記クランク軸はクランクケースに支持され、
前記第１カバーは、前記クランクケースの前方に配置された前記Ｖ型内燃機関の摩擦式変速クラッチを前方から覆うとともに、前記凹部側壁は該摩擦式変速クラッチの直上部分で斜下方へ傾斜して配置され、該凹部の下部に冷却水ポンプを支持するポンプ孔が、上部にＶ字状をなすシリンダブロックに接続される冷却水吐出孔が形成され、
前記第２カバーには、前記冷却水ポンプの外壁部と、該冷却水ポンプから吐出された冷却水を前記第１カバーの冷却水吐出孔に通す冷却水通路部とが形成され、前記第２カバーの前記側壁が前記冷却水通路部と前記排出通路とを隔てていることを特徴とするものである。
【０００７】
請求項２に記載の発明は、上記のようにする構成することにより、内燃機関に水が侵入することを避けつつ、第２カバーの側壁で冷却水通路と排出通路を隔てる構成により、部品点数を減らし、排水と冷却水の混入を防ぐことができる。
【０００８】
さらに、請求項３記載の発明は、請求項２記載のＶ型内燃機関において、
前記排出通路は、前記Ｖバンク谷間に連通する導入通路と該導入通路に連通する連絡通路とから構成され、
前記導入通路は、前記クランクケースから前方に延出するケース筒状部と前記第１カバーからケース筒状部と同一の横断形状をなして延出するカバー筒状部とを合わせることで形成され、
前記導入通路の前記Ｖバンク谷間との導入連通孔はＶバンクの底壁に接し、前記導入通路の前記排出通路との排出連通孔は前記冷却水通路部の下方に設けられることを特徴とする。
【０００９】
請求項３に記載の発明では、上記の構成により、排水のための導入通路と連絡通路を冷却水通路の下方に確実に形成することができる。
【００１０】
【発明の実施の形態】
以下、図面に図示された本出願発明の一実施形態について説明する。
【００１１】
本出願発明が適用されるＶ型４気筒４ストロークサイクル内燃機関１は、クランク軸11が車体前後方向に指向して自動２輪車に、いわゆる縦置き配置で搭載されるＶ型内燃機関であり、図２に図示されるように、該Ｖ型４気筒４ストロークサイクル内燃機関１の内部後半に、常時噛み合い式の歯車変速機２を内蔵している。
【００１２】
前記Ｖ型４気筒４ストロークサイクル内燃機関１の本体は、図１および図２に図示されるように、下端面にオイルパン３が結合されるクランクケース４と、該クランクケース４の上端面に結合されて、図示されない４個のシリンダが前記クランク軸11の回転軸線方向に左右に交互に並設されて形成される左右１対のシリンダ列がＶ字状をなすシリンダブロック５と、左右のシリンダ列にそれぞれ結合される左右１対のシリンダヘッド６と、該両シリンダヘッド６にそれぞれ結合される左右１対のヘッドカバー７と、前記クランクケース４およびシリンダブロック５の前面に結合される前カバー８と、該クランクケース４およびシリンダブロック５の後面に結合される後カバー９とよりなっている。この前カバー８は第１カバーを構成する。
【００１３】
なお、本実施形態以降の説明で、上下、左右および前後は、自動２輪車を基準とした場合の上下、左右および前後をそれぞれ意味している。
【００１４】
また、図２に図示されるように、クランクケース４およびシリンダブロック５にそれぞれ一体に形成されて、これらの共同により前軸受保持部12、中間軸受保持部13および後軸受保持部14が構成され、該前軸受保持部12、中間軸受保持部13および後軸受保持部14にそれぞれ保持される軸受により、クランク軸11が回転自在に支持されている。そして、前記シリンダにそれぞれ摺動自在に図示されないピストンが嵌装されており、該シリンダの燃焼室内に供給された混合気の間欠的な燃焼でもって該ピストンが往復動され、該ピストンの往復動によりクランク軸11が、コネクティングロッド15を介して反時計方向（Ｖ型４気筒４ストロークサイクル内燃機関１を正面から見て時計方向）へ回転駆動されるようになっている。
【００１５】
さらに、クランク軸11より下方に位置してメイン軸16がクランクケース４に回転自在に支持され、クランクケース４より前方へ突出したメイン軸16の前端部に多板摩擦式変速クラッチ17の出力部が嵌着され、該多板摩擦式変速クラッチ17の入力部にドリブンギヤ19が嵌合され、クランク軸11と一体のドライブギヤ18は該ドリブンギヤ19と噛合されており、多板摩擦式変速クラッチ17が接続された状態では、クランク軸11の回転トルクが多板摩擦式変速クラッチ17を介してメイン軸16に伝達されるようになっている。
【００１６】
さらにまた、メイン軸16の右側にはカウンタ軸20がクランクケース４に回転自在に支持され、メイン軸16およびカウンタ軸20にそれぞれメイン軸側変速ギヤ群21および図示されないカウンタ側変速ギヤ群が設けられ、カウンタ軸20の出力ギヤ22と出力軸23の入力ギヤ24とが噛合されており、図示されないシフトドライブ軸に設けられた３本のシフトフォーク（図示されず）のいずれかの軸方向移動でもって、所要のメイン軸側変速ギヤ群21の内のギヤとカウンタ軸側変速ギヤ群の内のギヤとが選択的に噛合されて、所要の変速比でもってメイン軸16からカウンタ軸20を介して出力軸23に動力が伝達されるようになっている。そして、出力軸23には前後方向に指向した図示されないドライブ軸が連結され、該ドライブ軸は、図示されない自動２輪車の後車軸と１対のベベルギヤと（図示されず）を介して連結されており、出力軸23の回転で後車輪が駆動されて、自動２輪車は走行しうるようになっている。
【００１７】
しかも、クランクケース４およびシリンダブロック５より後方へ突出したクランク軸11の後端部にＡＣ発電機駆動ギヤ25が一体に嵌着され、図示されない伝動機構を介してＡＣ発電機26の入力軸に連結されており、クランク軸11が回転すると、ＡＣ発電機26が回転駆動されるようになっている。このＡＣ発電機26は、Ｖ型４気筒４ストロークサイクル内燃機関１のＶバンクの後部谷間に配設されている。
【００１８】
また、前軸受保持部12より前方に突出したクランク軸11の前部でドライブギヤ18より後方に配置して、図示されない動弁装置のドライブスプロケット27が嵌着され、図１に図示されるように、シリンダヘッド６とヘッドカバー７の合せ面に位置して回転自在にカム軸10が支持され、該カム軸10と一体のドリブンスプロケットとドライブスプロケット27とに無端チェンが架渡されており、カム軸10は、クランク軸11の回転に対応してクランク軸11の回転速度の半分の回転速度で回転駆動されるようになっている。
【００１９】
さらに、シリンダブロック５には、図２および図３に図示されるように、前記無端チェンが回送しうるカムチェーン室28が形成され、図３に図示されるように、Ｖバンク底壁29は、シリンダブロック５の巾中央部近傍が最も低く形成されるとともに、クランク軸11方向に関しては、図２に図示されるように、Ｖバンク底壁29の後部よりもＶバンク底壁29の前部の方が、僅かに下方（クランクケース４とシリンダブロック５との合せ面が水平の場合）へ傾斜しており、シリンダブロック５のＶバンクに降り懸った雨水は、Ｖバンク底壁29の後部から前方へ向って流れるようになっている。
【００２０】
さらにまた、図２に図示されるように、前カバー８の上部に当接する当接部30の後端には、下方へ垂下してカムチェーン室28の前方壁を構成するカムチェーン室壁31が一体に形成され、該カムチェーン室壁31の下部には、Ｖバンク底壁29の上面に接する連通孔32が形成され、該連通孔32の上部に接した正面視で縦長の筒状部33がカムチェーン室壁31より前方へ突出して形成されている。
【００２１】
また、前カバー８には、図５に図示されるように、後記筒状部38より下方に位置した個所から、正面視で斜右上方（車体を基準とすれば斜左上方）に向い傾斜し、かつ前記筒状部33の個所から僅かに左下位置にて鉛直下方に指向し、さらに、多板摩擦式変速クラッチ17の直上部分で斜左下方へ傾斜した線を境にして、左上部分が後方へ窪んだ後退凹部34が形成され、該後退凹部34の前面下部には、ポンプ孔35が形成されるとともに、該後退凹部34の左右上部には、冷却水吐出孔36が形成され、後退凹部34の前面にはポンプ孔35から冷却水吐出孔36に向い底の浅い溝37が形成されている。
【００２２】
さらに、前カバー８の上部内面（後面）には、シリンダブロック５のカムチェーン室壁31より前方へ突出した縦長筒状部33と同一の横断形状をなした筒状部38が後方に向って突設され、該筒状部33、38で導入通路39が形成され、該筒状部38の底部と前カバー８の外部とを連通する連通孔40が前カバー８に設けられている。
【００２３】
そして、前カバー８の後退凹部34を覆って前カバー８の前面と略同一面をなす第２カバーを構成する冷却水ポンプカバー41（図６参照）があり、該冷却水ポンプカバー41には、前カバー８の溝37に対応した箇所において、冷却水ポンプ42の渦巻状凹部43と冷却水通水部44が形成され、冷却水ポンプカバー41のボルト孔45を貫通して前カバー８のボルト孔46に螺着されるボルトによって冷却水ポンプ42のケーシングが構成され、前記冷却水ポンプカバー41の渦巻状凹部43に図示されないポンプロータが前方から後方へ向けて装入されて、回転自在に支持され、該ポンプロータは、図示されないベルト等の伝動機構を介してクランク軸11に連結されている。
【００２４】
また、冷却水ポンプカバー41には、図４に図示されるように、渦巻状凹部43の前方へ位置してサーモスタット室47が形成され、該サーモスタット室47には吸入管継手48とバイパス管継手49とが接続され、サーモスタット室47には図示されないサーモスタットが内蔵され、吸入管継手48は図示されないホースを介して図示されないラジエータに接続されるとともに、バイパス管継手49は図示されないホースを介してＶ型４気筒４ストロークサイクル内燃機関１の冷却水出口（図示されず）に接続され、前記冷却水吐出孔36はＶ型４気筒４ストロークサイクル内燃機関１の冷却水通路50（図３参照）に接続されている。
【００２５】
さらに、図４に図示されるように、前カバー８の後退凹部34の側壁51に、冷却水ポンプカバー41の表板部52の側縁53が密接しうるように、冷却水ポンプカバー41は形成されている。そして、前カバー８の後退凹部壁54および側壁51と、冷却水ポンプカバー41の表板部52および側壁55とで、連絡通路56が構成されている。
【００２６】
図示の実施形態は、前述したように構成されているので、下記のような動作が行なわれる。
【００２７】
Ｖ型４気筒４ストロークサイクル内燃機関１が運転を開始して、クランク軸11が回転すると、冷却水ポンプ42のポンプロータが回転駆動され、冷却水が低温であるため、図示されないサーモスタットにより、吸入管継手48に通じる通水路が閉じられて、バイパス管継手49に通じる通水路が開放される。
【００２８】
従って、Ｖ型４気筒４ストロークサイクル内燃機関１内の冷却水通路50から、ホースおよびバイパス管継手49を介して冷却水が、冷却水ポンプ42の冷却水通水部44に吸入され、加圧された後は、冷却水通水部44および冷却水吐出孔36を介してＶ型４気筒４ストロークサイクル内燃機関１の冷却水通路50内に流入し、Ｖ型４気筒４ストロークサイクル内燃機関１内を冷却水が循環する結果、Ｖ型４気筒４ストロークサイクル内燃機関１では局部的な過熱が回避される。
【００２９】
そして、冷却水が所定温度以上に加熱されると、図示されないサーモスタットが動作して、バイパス管継手49に通じる通水路が閉じられるとともに、吸入管継手48に通じる通水路が開放され、Ｖ型４気筒４ストロークサイクル内燃機関１内で加熱された冷却水は図示されないラジエータに送られて冷却され、冷却された冷却水が図示されないホースおよび吸入管継手48を介して冷却水ポンプ42の渦巻状凹部43に吸入され、加圧された後、冷却水通水部44および冷却水吐出孔36を介してＶ型４気筒４ストロークサイクル内燃機関１の冷却水通路50に還流し、Ｖ型４気筒４ストロークサイクル内燃機関１は適正な温度を保持することができる。
【００３０】
また、図示されない自動２輪車が雨天等を走行して、Ｖ型４気筒４ストロークサイクル内燃機関１に雨が降り懸り、Ｖ型４気筒４ストロークサイクル内燃機関１のＶバンク底壁29上方に雨水が溜まった場合には、前方へ向け下方へ傾斜したＶバンク底壁29により雨水は前方へ流れ、カムチェーン室壁31の連通孔32を通過して筒状部33および筒状部38で構成される導入通路39に流入する。
【００３１】
前カバー８の後退凹部34の側壁51に冷却水ポンプカバー41における表板部52の下側縁53が水密（必要に応じてパッキン等を介装してもよい）に密接されて、前カバー８の後退凹部34の側壁51および後退凹部壁54と、冷却水ポンプカバー41の表板部52および側壁55とで連絡通路56が構成されて、しかも、該連絡通路56が前カバー８における後退凹部34の側壁51に沿って正面視で左下方（車体を基準とすると右下方）へ傾斜しているため、導入通路39に導入された雨水は、連通孔40より連絡通路56内に流入してから、該連絡通路56内を斜下方へ流下し、前カバー８における後退凹部34の側壁51の下端部と冷却水ポンプ42の周壁との間の開口57から車外へ排出される。
【００３２】
通常、自動二輪車が走行している場合には、開口57より排出された雨水は、走行風によって霧状に飛散して車体後方へ流れるので、Ｖ型４気筒４ストロークサイクル内燃機関１の本体を構成するクランクケース４、シリンダブロック５、シリンダヘッド６等には殆ど付着することがなく、これらクランクケース４、シリンダブロック５、シリンダヘッド６等の雨水による汚れが避けられる。
【００３３】
また、停止時であっても、Ｖバンク底壁29が前下方へ傾斜しているため、Ｖバンク底壁29に降り懸った雨水はＶバンク底壁29に溜まらずに、外部へ排出される。
【００３４】
さらに、冷却水ポンプ42の冷却水通水部44に沿って連絡通路56が形成されているので、これら冷却水通路44と連絡通路56とは干渉しない。
【図面の簡単な説明】
【図１】  本出願発明の実施形態を図示したＶ型４気筒４ストロークサイクル内燃機関１の正面図である。
【図２】  図１のII−II線に沿って裁断した縦断側面図である。
【図３】  図２のIII−III線に沿って裁断した横断正面図である。
【図４】  図１のIV−IV線に沿って裁断した横断平面図である。
【図５】  前カバー８の正面図である。
【図６】  冷却水ポンプカバー41の背面図である。
【符号の説明】
１…Ｖ型４気筒４ストロークサイクル内燃機関、２…歯車変速機、３…オイルパン、４…クランクケース、５…シリンダブロック、６…シリンダヘッド、７…ヘッドカバー、８…前カバー、９…後カバー、10…カム軸、11…クランク軸、12…前軸受保持部、13…中間軸受保持部、14…後軸受保持部、15…コネクティングロッド、16…メイン軸、17…多板摩擦式変速クラッチ、18…ドライブギヤ、19…ドリブンギヤ、20…カウンタ軸、21…メイン側変速ギヤ群、22…出力ギヤ、23…出力軸、24…入力ギヤ、25…ＡＣ発電機駆動ギヤ、26…ＡＣ発電機、27…ドライブスプロケット、28…カムチェーン室、29…Ｖバンク底壁、30…当接部、31…カムチェーン室壁、32…連通孔、33…筒状部、34…後退凹部、35…ポンプ孔、36…冷却水吐出孔、37…溝、38…筒状部、39…導入通路、40…連通孔、41…冷却水ポンプカバー、42…冷却水ポンプ、43…渦巻状凹部、44…冷却水通水部、45、46…ボルト孔、47…サーモスタット室、48…吸入管継手、49…バイパス管継手、50…冷却水通路、51…側壁、52…表板部、53…側縁、54…後退凹部壁、55…側壁、56…連絡通路、57…開口。
【図１】
0003867841.tif 000002
【図２】
0003867841.tif 000003
【図３】
0003867841.tif 000004
【図４】
0003867841.tif 000005
【図５】
0003867841.tif 000006
【図６】
0003867841.tif 000007